(57)【要約】【課題】超音波信号に基づいて提供する情報を不正に取得することを防止する。【解決手段】超音波発生装置１は、配信情報が重畳された超音波信号を発生する信号発生部を有し、携帯端末２は、超音波信号を受信する超音波信号受信部と、超音波信号に重畳された配信情報を抽出する抽出部と、携帯端末の位置を特定するための位置特定情報を取得する位置特定情報取得部と、配信情報及び前記位置特定情報を前記情報提供装置に送信する端末側送信部と、を有し、情報提供装置３は、携帯端末２から配信情報及び位置特定情報を受信する装置側受信部と、配信情報に基づいて、携帯端末２に提供する提供情報を取得する取得部と、配信情報と位置特定情報との関係が所定の条件を満たす場合に提供情報を携帯端末２に送信する装置側送信部と、を有する。【選択図】図６
2014238673.tif 000002
【特許請求の範囲】
【請求項１】
超音波発生装置と、携帯端末と、前記携帯端末に情報を提供する情報提供装置と、を備える情報提供システムであって、
前記超音波発生装置は、配信情報が重畳された超音波信号を発生する信号発生部を有し、
前記携帯端末は、
前記超音波信号を受信する超音波信号受信部と、
前記超音波信号に重畳された前記配信情報を抽出する抽出部と、
前記携帯端末の位置を特定するための位置特定情報を取得する位置特定情報取得部と、
前記配信情報及び前記位置特定情報を前記情報提供装置に送信する端末側送信部と、
を有し、
前記情報提供装置は、
前記携帯端末から前記配信情報及び前記位置特定情報を受信する装置側受信部と、
前記配信情報に基づいて、前記携帯端末に提供する提供情報を取得する取得部と、
前記配信情報と前記位置特定情報との関係が所定の条件を満たす場合に前記提供情報を前記携帯端末に送信する装置側送信部と、
を有する情報提供システム。
【請求項２】
前記情報提供装置は、前記配信情報に基づいて当該配信情報が配信された位置を示す配信位置情報を取得する配信位置特定部をさらに備え、
前記装置側送信部は、前記配信位置情報と前記位置特定情報との関係が前記所定の条件を満たす場合に前記提供情報を前記携帯端末に送信する、
請求項１に記載の情報提供システム。
【請求項３】
前記配信情報は、前記超音波発生装置の識別情報を含み、
前記情報提供装置は、複数の前記超音波発生装置それぞれの前記識別情報と、前記配信位置情報とを関連付けた位置関係情報を記憶する記憶部をさらに備え、
前記配信位置特定部は、前記装置側受信部が受信した前記配信情報に含まれる前記識別情報に関連付けて前記記憶部に記憶されている前記配信位置情報を取得し、
前記装置側送信部は、前記配信位置特定部が取得した前記配信位置情報と、前記位置特定情報との関係が前記所定の条件を満たす場合に、前記提供情報を前記携帯端末に送信する、
請求項２に記載の情報提供システム。
【請求項４】
前記配信情報は、当該配信情報が配信される時間に応じて変化する配信時間情報を含み、
前記装置側送信部は、前記配信時間情報が所定の第１条件を満たし、かつ、前記装置側受信部が受信した前記配信情報と前記位置特定情報との関係が所定の第２条件を満たす場合に、前記提供情報を送信する、
請求項１から３のいずれか１項に記載の情報提供システム。
【請求項５】
前記位置特定情報取得部は、ＧＰＳ衛星から受信した測位電波に基づいて前記位置特定情報を算出する、
請求項１から４のいずれか１項に記載の情報提供システム。
【請求項６】
前記超音波発生装置が設置されている位置を含むエリアに、前記位置特定情報を無線により送信する無線通信装置をさらに備え、
前記位置特定情報取得部は、前記無線通信装置から前記位置特定情報を受信する、
請求項１から４のいずれか１項に記載の情報提供システム。
【請求項７】
前記無線通信装置は、前記超音波発生装置が発生する超音波信号を前記携帯端末が受信可能な範囲よりも広い範囲に前記位置特定情報を送信する、
請求項６に記載の情報提供システム。
【請求項８】
超音波発生装置と、携帯端末と、を備える情報提供システムであって、
前記超音波発生装置は、配信情報が重畳された超音波信号を発生する信号発生部を有し、
前記携帯端末は、
前記超音波信号を受信する超音波信号受信部と、
前記超音波信号に重畳された前記配信情報を抽出する抽出部と、
前記携帯端末の位置を特定するための位置特定情報を取得する位置特定情報取得部と、
前記配信情報と前記位置特定情報との関係が所定の条件を満たす場合に、前記配信情報に基づいて提供情報を取得する取得部と、
を有する情報提供システム。
【請求項９】
配信情報が重畳された超音波信号を発生する工程と、
携帯端末が前記超音波信号を受信する工程と、
前記携帯端末の位置を特定するための位置特定情報を取得する工程と、
前記超音波信号に重畳された前記配信情報を抽出する工程と、
前記配信情報を抽出する工程において抽出された前記配信情報と前記位置特定情報との関係が所定の条件を満たす場合に、前記配信情報に基づいて生成された提供情報を取得する工程と、
を備える情報提供方法。
【請求項１０】
携帯端末から、前記携帯端末の位置を示す位置特定情報と、超音波発生装置が発生した超音波信号から前記携帯端末が抽出した配信情報と、を受信する装置側受信部と、
前記配信情報に基づいて、前記携帯端末に提供する提供情報を取得する取得部と、
前記配信情報と前記位置特定情報との関係が所定の条件を満たす場合に、前記提供情報を前記携帯端末に送信する装置側送信部と、
を備える情報提供装置。
【請求項１１】
配信情報が重畳された超音波信号を受信する超音波信号受信部と、
前記超音波信号に重畳された前記配信情報を抽出する抽出部と、
自身の位置を特定するための位置特定情報を取得する位置特定情報取得部と、
前記配信情報及び前記位置特定情報を情報提供装置に送信する端末側送信部と、
前記情報提供装置から、前記配信情報と前記位置特定情報との関係が所定の条件を満たす場合に提供される提供情報を受信する端末側受信部と、
を備える携帯端末。
【請求項１２】
携帯端末に設けられたコンピュータを、
配信情報が重畳された超音波信号に重畳された前記配信情報を抽出する抽出部、
自身の位置を特定するための位置特定情報を取得する位置特定情報取得部、
前記配信情報及び前記位置特定情報を情報提供装置に送信する端末側送信部、及び
前記情報提供装置から、前記配信情報と前記位置特定情報との関係が所定の条件を満たす場合に提供される提供情報を受信する端末側受信部
として機能させるための情報取得プログラム。
【発明の詳細な説明】
【技術分野】
【０００１】
本発明は、携帯端末に情報を提供する情報提供システム、情報提供装置、携帯端末及び情報取得プログラムに関する。
【背景技術】
【０００２】
近年、情報を重畳させた音響信号によって通信を行う方法が提案されている。例えば、特許文献１には、携帯端末が、音響信号に変調された識別情報を含む音声を収音し、当該音声から識別情報を復調し、復調された識別情報に基づいて、コンテンツを取得するためのアドレス情報をサーバから取得する技術が開示されている。また、特許文献１には、当該音響信号を非可聴帯域まで周波数シフトして放音する技術が開示されている。
【０００３】
このような技術によれば、非可聴帯域の音響信号、すなわち超音波信号にクーポン等の識別情報を重畳することによって、超音波信号を受信できる位置に存在する携帯端末に、クーポン等を表示するウェブページにアクセスさせ、クーポン等を取得させることができる。
【先行技術文献】
【特許文献】
【０００４】
【特許文献１】特開２０１２−１５５７０６号公報
【発明の概要】
【発明が解決しようとする課題】
【０００５】
ところで、特許文献１に記載の方法によれば、店舗等で放音されている超音波信号を録音しておき、異なる場所において、録音した超音波信号を放音することができる。したがって、店舗に来店したユーザに対して、特許文献１に記載された技術を利用してクーポン等の特典を付与するサービスを提供する場合には、携帯端末のユーザが、店舗の位置とは異なる位置において録音した超音波信号を放音することで、超音波信号に重畳されているクーポン等を不正取得することができるという問題がある。
【０００６】
そこで、本発明はこれらの課題を解決するためになされたものであり、超音波信号に基づいて提供する情報を不正に取得することを防止することができる情報提供システム、情報提供装置、携帯端末及び情報取得プログラムを提供することを目的とする。
【課題を解決するための手段】
【０００７】
本発明の第１の態様に係る情報提供システムは、超音波発生装置と、携帯端末と、前記携帯端末に情報を提供する情報提供装置と、を備える情報提供システムであって、前記超音波発生装置は、配信情報が重畳された超音波信号を発生する信号発生部を有し、前記携帯端末は、前記超音波信号を受信する超音波信号受信部と、前記超音波信号に重畳された前記配信情報を抽出する抽出部と、前記携帯端末の位置を特定するための位置特定情報を取得する位置特定情報取得部と、前記配信情報及び前記位置特定情報を前記情報提供装置に送信する端末側送信部と、を有し、前記情報提供装置は、前記携帯端末から前記配信情報及び前記位置特定情報を受信する装置側受信部と、前記配信情報に基づいて、前記携帯端末に提供する提供情報を取得する取得部と、前記配信情報と前記位置特定情報との関係が所定の条件を満たす場合に前記提供情報を前記携帯端末に送信する装置側送信部と、を有する。
【０００８】
前記情報提供装置は、前記配信情報に基づいて当該配信情報が配信された位置を示す配信位置情報を取得する配信位置特定部をさらに備え、前記装置側送信部は、前記配信位置情報と前記位置特定情報との関係が前記所定の条件を満たす場合に前記提供情報を前記携帯端末に送信してもよい。
【０００９】
前記配信情報は、前記超音波発生装置の識別情報を含み、前記情報提供装置は、複数の前記超音波発生装置それぞれの前記識別情報と、前記配信位置情報とを関連付けた位置関係情報を記憶する記憶部をさらに備え、前記配信位置特定部は、前記装置側受信部が受信した前記配信情報に含まれる前記識別情報に関連付けて前記記憶部に記憶されている前記配信位置情報を取得し、前記装置側送信部は、前記配信位置特定部が取得した前記配信位置情報と、前記位置特定情報との関係が前記所定の条件を満たす場合に、前記提供情報を前記携帯端末に送信してもよい。
【００１０】
前記配信情報は、当該配信情報が配信される時間に応じて変化する配信時間情報を含み、前記装置側送信部は、前記配信時間情報が所定の第１条件を満たし、かつ、前記装置側受信部が受信した前記配信情報と前記位置特定情報との関係が所定の第２条件を満たす場合に、前記提供情報を送信してもよい。
【００１１】
前記位置特定情報取得部は、ＧＰＳ（Global Positioning System）衛星から受信した測位電波に基づいて前記位置特定情報を算出してもよい。前記超音波発生装置が設置されている位置を含むエリアに、前記位置特定情報を無線により送信する無線通信装置をさらに備え、前記位置特定情報取得部は、前記無線通信装置から前記位置特定情報を受信してもよい。前記無線通信装置は、前記超音波発生装置が発生する超音波信号を前記携帯端末が受信可能な範囲よりも広い範囲に前記位置特定情報を送信してもよい。
【００１２】
本発明の第２の態様に係る情報提供システムは、超音波発生装置と、携帯端末と、を備える情報提供システムであって、前記超音波発生装置は、配信情報が重畳された超音波信号を発生する信号発生部を有し、前記携帯端末は、前記超音波信号を受信する超音波信号受信部と、前記超音波信号に重畳された前記配信情報を抽出する抽出部と、前記携帯端末の位置を特定するための位置特定情報を取得する位置特定情報取得部と、前記配信情報と前記位置特定情報との関係が所定の条件を満たす場合に、前記配信情報に基づいて提供情報を取得する取得部と、を有する。
【００１３】
本発明の第３の態様に係る情報提供方法は、配信情報が重畳された超音波信号を発生する工程と、携帯端末が前記超音波信号を受信する工程と、前記携帯端末の位置を特定するための位置特定情報を取得する工程と、前記超音波信号に重畳された前記配信情報を抽出する工程と、前記配信情報を抽出する工程において抽出された前記配信情報と前記位置特定情報との関係が所定の条件を満たす場合に、前記配信情報に基づいて生成された提供情報を取得する工程とを備える。
【００１４】
本発明の第４の態様に係る情報提供装置は、携帯端末から、前記携帯端末の位置を示す位置特定情報と、超音波発生装置が発生した超音波信号から前記携帯端末が抽出した配信情報と、を受信する装置側受信部と、前記配信情報に基づいて、前記携帯端末に提供する提供情報を取得する取得部と、前記配信情報と前記位置特定情報との関係が所定の条件を満たす場合に、前記提供情報を前記携帯端末に送信する装置側送信部と、を備える。
【００１５】
本発明の第５の態様に係る携帯端末は、配信情報が重畳された超音波信号を受信する超音波信号受信部と、前記超音波信号に重畳された前記配信情報を抽出する抽出部と、自身の位置を特定するための位置特定情報を取得する位置特定情報取得部と、前記配信情報及び前記位置特定情報を情報提供装置に送信する端末側送信部と、前記情報提供装置から、前記配信情報と前記位置特定情報との関係が所定の条件を満たす場合に提供される提供情報を受信する端末側受信部と、を備える。
【００１６】
本発明の第６の態様に係る情報取得プログラムは、携帯端末に設けられたコンピュータを、配信情報が重畳された超音波信号に重畳された前記配信情報を抽出する抽出部、自身の位置を特定するための位置特定情報を取得する位置特定情報取得部、前記配信情報及び前記位置特定情報を情報提供装置に送信する端末側送信部、及び前記情報提供装置から、前記配信情報と前記位置特定情報との関係が所定の条件を満たす場合に提供される提供情報を受信する端末側受信部として機能させる。
【発明の効果】
【００１７】
本発明によれば、超音波信号に基づいて提供する情報を不正に取得することを防止することができる。
【図面の簡単な説明】
【００１８】
【図１】第１の実施形態に係る情報提供システムの概要図である。
【図２】第１の実施形態に係る超音波発生装置及び携帯端末の機能構成図である。
【図３】第１の実施形態に係る情報提供装置の機能構成図である。
【図４】第１の実施形態に係る位置関係情報の一例を示す図である。
【図５】第１の実施形態に係る情報提供装置及び変換装置の機能構成図である。
【図６】第１の実施形態に係る情報提供システムにおいて、携帯端末が提供情報を受信するまでの通信シーケンスの一例を示す図である。
【図７】第２の実施形態に係る情報提供システムの概要図である。
【図８】第２の実施形態に係る超音波発生装置、携帯端末及び無線アクセスポイントの機能構成図である。
【図９】第２の実施形態に係る位置関係情報の一例を示す図である。
【図１０】第３の実施形態に係る位置関係情報の一例を示す図である。
【図１１】第４の実施形態に係る超音波発生装置及び携帯端末の機能構成図である。
【図１２】第４の実施形態に係る情報提供装置の機能構成図である。
【図１３】第４の実施形態に係る認証情報の一例を示す図である。
【図１４】第５の実施形態に係る超音波発生装置及び携帯端末の機能構成図である。
【図１５】第５の実施形態に係る情報提供装置の機能構成図である。
【図１６】第５の実施形態に係る情報提供システムにおいて、携帯端末が提供情報を受信するまでの通信シーケンスの一例を示す図である。
【発明を実施するための形態】
【００１９】
以下、本発明の実施形態について説明する。
＜第１の実施形態＞
［情報提供システムＳの概要］
図１は、第１の実施形態に係る情報提供システムＳの概要図である。
情報提供システムＳは、超音波発生装置１と、携帯端末２と、情報提供装置３と、基地局４と、ＧＰＳ衛星５とを備える。
【００２０】
携帯端末２は、店舗等に設置されている超音波発生装置１が発生した超音波信号を受信して、当該超音波信号に重畳された配信情報を抽出するとともに、ＧＰＳ衛星５から受信した測位電波に基づいて位置特定情報を生成する。携帯端末２は、基地局４を介して、当該配信情報及び当該位置特定情報を情報提供装置３に送信する。
【００２１】
ここで、基地局４は、携帯電話回線を介して携帯端末２と通信可能に接続されているとともに、インターネット網等から構成されるネットワークＮを介して情報提供装置３に通信可能に接続されている。基地局４は、携帯端末２から携帯電話回線を介して受信した配信情報及び位置特定情報を、ネットワークＮを介して情報提供装置３に送信する。
【００２２】
情報提供装置３は、携帯端末２から配信情報及び位置特定情報を受信すると、当該配信情報に基づいて、携帯端末２に提供する提供情報を取得する。そして、情報提供装置３は、配信情報と位置特定情報との関係が所定の条件を満たす場合に提供情報を携帯端末２に送信する。ここで、提供情報は、超音波発生装置１が設置されている店舗において使用可能なクーポンを示すクーポン情報や、当該店舗において販売されている商品を割引可能な割引情報又はポイント情報である。なお、情報提供システムＳはさらに外部の管理システム８を有していてもよい。管理システム８は、情報提供装置３の情報に基づいてクーポン情報やポイント情報の管理を行う。
【００２３】
［超音波発生装置１及び携帯端末２の構成例］
続いて、超音波発生装置１及び携帯端末２が備える機能について説明する。図２は、第１の実施形態に係る超音波発生装置１及び携帯端末２の機能構成図である。
【００２４】
超音波発生装置１は、配信情報記憶部１１と、信号発生部１２とを記憶する。
配信情報記憶部１１は、配信情報を記憶する。配信情報は、例えば、当該配信情報を発信する超音波発生装置１を識別する識別情報を示す装置ＩＤ、提供情報を識別する識別情報を示す提供情報ＩＤなどである。装置ＩＤは、例えば同一店舗に設置されている複数の超音波発生装置１で共用されてもよい。
信号発生部１２は、配信情報記憶部１１に記憶されている配信情報を超音波に変調することで、配信情報が重畳された超音波信号を発生する。
【００２５】
携帯端末２は、超音波信号受信部２１と、ＧＰＳ受信部２２と、端末側記憶部２３と、入力部２４と、表示部２５と、無線部２６と、端末側制御部２７とを備える。
超音波信号受信部２１は、例えばレシーバであり、超音波発生装置１が発生した超音波信号を受信する。
ＧＰＳ受信部２２は、端末側制御部２７の制御に応じてＧＰＳ衛星から、定期的に測位電波を受信する。
【００２６】
端末側記憶部２３は、例えば、ＲＯＭ及びＲＡＭ等により構成される。端末側記憶部２３は、携帯端末２を機能させるための各種プログラムを記憶する。例えば、端末側記憶部２３は、携帯端末２の端末側制御部２７を、後述する抽出部２７１、位置特定情報取得部２７２、端末側送信部２７３、及び端末側受信部２７４として機能させるための情報取得プログラムを記憶する。端末側記憶部２３は、外部メモリ等の記憶媒体に記憶されたプログラムを読み取って記憶してもよく、ネットワークを介して外部装置からダウンロードされたプログラムを記憶してもよい。
【００２７】
入力部２４は、例えば、ボタンや、表示部２５に重畳して配置される接触センサ等により構成される。入力部２４は、携帯端末２のユーザから操作入力を受け付ける。
表示部２５は、例えば、液晶ディスプレイや有機ＥＬ（Electro-Luminescence）ディスプレイ等により構成される。表示部２５は、端末側制御部２７の制御に応じて文字や図形等を表示する。
【００２８】
無線部２６は、端末側制御部２７から出力された信号を変調してＲＦ（Radio Frequency）信号を生成し、アンテナ（不図示）を介して当該ＲＦ信号を基地局４に無線送信する。また、無線部２６は、アンテナを介して受信したＲＦ信号を復調して、復調された信号を端末側制御部２７に出力する。
【００２９】
端末側制御部２７は、例えば、ＣＰＵにより構成される。端末側制御部２７は、端末側記憶部２３に記憶されている各種プログラムを実行することにより、携帯端末２に係る機能を統括的に制御する。端末側制御部２７は、抽出部２７１と、位置特定情報取得部２７２と、端末側送信部２７３と、端末側受信部２７４とを備える。
【００３０】
抽出部２７１は、入力部２４において、提供情報を取得する操作が行われたことに応じて、超音波信号受信部２１に超音波信号の受信を開始させる。そして、抽出部２７１は、超音波信号受信部２１が受信した超音波信号を復調することにより、当該超音波信号に重畳された配信情報を抽出する。
【００３１】
位置特定情報取得部２７２は、携帯端末２の位置を特定するための位置特定情報を取得する。具体的には、位置特定情報取得部２７２は、入力部２４において提供情報を取得する操作が行われたことに応じて、ＧＰＳ受信部２２に測位電波を受信させる。そして、位置特定情報取得部２７２は、ＧＰＳ受信部２２が受信した測位電波に基づいて位置特定情報を算出することにより、位置特定情報を取得する。
【００３２】
ここで、位置特定情報は、例えば、緯度を示す緯度情報と、経度を示す経度情報とから構成される。なお、ＧＰＳ受信部２２は、携帯端末２の設定により測位電波を常時受信してもよい。この場合、位置特定情報取得部２７２は、入力部２４において提供情報を取得する操作が行われた時間から最も近い時間にＧＰＳ受信部２２が受信した測位電波に基づいて位置特定情報を算出する。
【００３３】
端末側送信部２７３は、抽出部２７１が超音波信号から抽出した配信情報と、位置特定情報取得部２７２が取得した位置特定情報とを、無線部２６を介して、情報提供装置３に送信する。
端末側受信部２７４は、無線部２６を介して、情報提供装置３から提供情報を受信する。端末側受信部２７４は、受信した提供情報を端末側記憶部２３に記憶させる。
ここで、端末側受信部２７４は、端末側記憶部２３に記憶された提供情報を表示部２５に表示させてもよい。また、端末側受信部２７４は、受信した提供情報を表示部２５に直接表示させてもよい。
【００３４】
［情報提供装置３の構成例］
続いて、情報提供装置３が備える機能について説明する。図３は、第１の実施形態に係る情報提供装置３の機能構成図である。
情報提供装置３は、例えばサーバであり、装置側記憶部３１と、装置側制御部３２とを備える。
【００３５】
装置側記憶部３１は、例えば、ＲＯＭ及びＲＡＭ等により構成される。装置側記憶部３１は、情報提供装置３を機能させるための各種プログラムを記憶する。装置側記憶部３１は、外部メモリ等の記憶媒体に記憶されたプログラムを読み取って記憶してもよく、ネットワークを介して外部装置からダウンロードされたプログラムを記憶してもよい。
【００３６】
装置側記憶部３１は、位置関係情報を記憶する位置関係記憶部３１１を備える。位置関係記憶部３１１は、複数の超音波発生装置１のそれぞれの装置ＩＤと、当該超音波発生装置１の位置を示す配信位置情報とを関連付けた位置関係情報を予め記憶している。図４は、第１の実施形態に係る位置関係記憶部３１１が記憶する位置関係情報の一例を示す図である。図４に示すように、配信位置情報は、超音波発生装置１が設置されている位置の緯度を示す緯度情報と、経度を示す経度情報とから構成されている。
また、装置側記憶部３１は、配信情報に含まれる提供情報ＩＤと、提供情報とを関連付けて記憶する提供情報記憶部３１２を備える。
【００３７】
装置側制御部３２は、例えば、ＣＰＵにより構成される。装置側制御部３２は、装置側記憶部３１に記憶されている各種プログラムを実行することにより、情報提供装置３に係る機能を統括的に制御する。装置側制御部３２は、装置側受信部３２１と、配信位置特定部３２２と、取得部３２３と、装置側送信部３２４とを備える。
【００３８】
装置側受信部３２１は、携帯端末２から配信情報及び位置特定情報を受信する。
配信位置特定部３２２は、装置側受信部３２１が受信した配信情報が配信された位置を示す配信位置情報を取得する。具体的には、配信位置特定部３２２は、位置関係記憶部３１１に記憶されている位置関係情報を参照し、装置側受信部３２１が受信した配信情報に含まれている装置ＩＤに関連付けられて位置関係記憶部３１１に記憶されている配信位置情報を取得する。
【００３９】
例えば、装置側受信部３２１が受信した配信情報に含まれている装置ＩＤが「０００００２」である場合、配信位置特定部３２２は、図４に示される位置関係記憶部３１１を参照し、当該装置ＩＤに関連付けられている配信位置情報として、緯度「北緯３５度３６分１７秒」及び経度「東経１４０度０７分２４秒」を取得する。
【００４０】
取得部３２３は、配信情報に基づいて、携帯端末２に提供する提供情報を取得する。具体的には、取得部３２３は、提供情報記憶部３１２を参照し、装置側受信部３２１が受信した配信情報に含まれる提供情報ＩＤに関連付けられて、提供情報記憶部３１２に記憶されている提供情報を取得する。
【００４１】
なお、取得部３２３は、例えば、図５に示すように、情報提供装置３と通信可能に接続されたアドレス取得装置７に提供情報ＩＤを送信し、当該アドレス取得装置７において、当該提供情報ＩＤから変換された提供情報のアドレスを取得してもよい。具体的には、アドレス取得装置７は、図５に示すように、識別情報受信部７１と、アドレス取得部７２と、アドレス送信部７３とを備える。識別情報受信部７１が、取得部３２３から送信された提供情報ＩＤを受信すると、アドレス取得部７２は、例えば、提供情報ＩＤと提供情報のアドレスとを関連付けて記憶する変換テーブル（不図示）等に基づいて、受信した提供情報ＩＤに関連付けられた提供情報のアドレスを取得する。アドレス送信部７３が、取得した提供情報のアドレスを情報提供装置３に送信する。
【００４２】
装置側送信部３２４は、装置側受信部３２１が受信した配信情報と、位置特定情報との関係が所定の条件を満たす場合に、取得部３２３が取得した提供情報を携帯端末２に送信する。具体的には、装置側送信部３２４は、装置側受信部３２１が受信した配信情報に含まれる識別情報に基づいて配信位置特定部３２２が特定した配信位置情報と、位置特定情報との関係が所定の条件を満たす場合に、提供情報を携帯端末２に送信する。ここで、所定の条件は、例えば、配信位置情報と位置特定情報とが一致することをいう。なお、位置特定情報が示す位置が、配信位置情報が示す位置から所定範囲内であることを所定の条件としてもよい。
【００４３】
また、情報提供装置３は外部の管理システム８と連携するものであってもよい。具体的には、クーポン情報を記憶する店舗側管理システムや、ポイント情報を管理するポイント管理システムなどである。この場合には、情報提供装置３は提供情報を携帯端末２に配信するとともに、外部の管理システム８に提供情報を配信した旨を送信する。これにより、外部の管理システム８は提供情報を提供したことに基づく携帯端末２を有するユーザの管理が可能となる。さらに、情報提供装置３は不正な要求があった旨を、外部の管理システム８に通知するようにしてもよい。これにより、不正な要求がされた情報の提供を停止、不正な使用を行った携帯端末２を有するユーザを特定することができる。なお、配信情報は、外部の管理システム８から情報提供装置３に送信するようにしてもよい。
【００４４】
［情報提供システムＳの通信シーケンス］
図６は、第１の実施形態に係る情報提供システムＳにおいて、携帯端末２が提供情報を受信するまでの通信シーケンスの一例を示す図である。
まず、超音波発生装置１が、少なくとも、装置ＩＤ、提供情報ＩＤ、施設ＩＤのいずれか一つを含む配信情報が重畳された超音波信号を発生する（Ｓ１）。
【００４５】
続いて、超音波信号受信部２１が超音波信号を受信すると、抽出部２７１は、当該超音波信号に含まれている配信情報を抽出する（Ｓ２）。続いて、位置特定情報取得部２７２は、ＧＰＳ受信部２２が受信した測位電波に基づいて位置特定情報を算出することにより、位置特定情報を取得する（Ｓ３）。なお、Ｓ２とＳ３との順番は、図６に示す順番に限らず、Ｓ３の後にＳ２が行われてもよい。
【００４６】
続いて、端末側送信部２７３は、Ｓ２において抽出された配信情報及びＳ３において取得された位置特定情報を情報提供装置３に送信する。
続いて、装置側受信部３２１は、携帯端末２から配信情報及び位置特定情報を受信する。
【００４７】
続いて、配信位置特定部３２２は、配信情報に含まれている装置ＩＤに基づいて位置関係記憶部３１１の位置関係情報に記憶されている配信位置情報を取得する。その後、取得部３２３は、配信情報に含まれている提供情報ＩＤに基づいて、提供情報記憶部３１２に記憶されている提供情報を取得する（Ｓ４）。
【００４８】
続いて、装置側送信部３１４は、提供情報の送信条件を満たすか否かを判定する（Ｓ５）。装置側送信部３１４は、例えば、装置側受信部３２１が受信した位置特定情報と、配信位置特定部３２２が取得した配信位置情報が一致している場合に、送信条件を満たしたと判定し、提供情報を携帯端末２に送信する。
続いて、端末側受信部２７４は、提供情報を受信し、当該提供情報を端末側記憶部２３に記憶させる（Ｓ６）。
【００４９】
［第１の実施形態における効果］
以上のとおり、第１の実施形態に係る情報提供システムＳの携帯端末２は、超音波信号から抽出された配信情報と、携帯端末２の位置を特定するための位置特定情報とを情報提供装置３に送信する。情報提供装置３は、当該配信情報と当該位置特定情報との関係が所定の条件を満たす場合に、提供情報を携帯端末２に送信する。したがって、情報提供システムＳは、超音波信号に基づいて提供する情報を、予め規定されている位置とは異なる位置において不正に取得することを防止することができる。
【００５０】
また、情報提供装置３は、携帯端末２から受信した配信情報に基づいて当該配信情報が配信された位置を示す配信位置情報を取得する。また、情報提供装置３は、受信した配信情報に含まれる装置ＩＤに関連付けて位置関係記憶部３１１に記憶されている配信位置情報を取得し、当該配信位置情報と、受信した位置特定情報との関係が所定の条件を満たす場合に、提供情報を携帯端末２に送信する。したがって、情報提供システムＳにおいては、配信情報に位置を示す情報を含める必要がないので、配信情報のデータ量を増加させることなく、配信情報が配信された位置を特定させることができる。
【００５１】
また、携帯端末２は、ＧＰＳ衛星から受信した測位電波に基づいて位置特定情報を算出する。したがって、情報提供装置３は、正確に携帯端末２の位置を把握して、提供情報を送信するか否かの判定を精度よく行うことができる。
【００５２】
＜第２の実施形態＞
［無線アクセスポイント６により位置特定情報を取得する］
続いて、第２の実施形態について説明する。第２の実施形態は、携帯端末２が、無線アクセスポイント６から位置特定情報を受信する点で第１の実施形態と異なり、その他の点では同じである。
【００５３】
図７は、第２の実施形態に係る情報提供システムＳの概要図である。
第２の実施形態に係る情報提供システムＳは、超音波発生装置１と、携帯端末２と、情報提供装置３と、基地局４と、無線通信装置としての無線アクセスポイント６とを備える。
【００５４】
携帯端末２は、超音波発生装置１が発生した超音波信号を受信して、当該超音波信号に重畳された配信情報を抽出するとともに、無線アクセスポイント６が送信した位置特定情報を受信する。携帯端末２は、基地局４を介して、抽出した配信情報及び取得した位置特定情報を情報提供装置３に送信する。
情報提供装置３は、第１の実施形態と同様に、配信情報と位置特定情報との関係が所定の条件を満たす場合に提供情報を携帯端末２に送信する。
【００５５】
ここで、図７に示される破線ａは、超音波発生装置１が発生する超音波信号を携帯端末２が受信可能な範囲である。図７に示される破線ｂは、無線アクセスポイント６が送信する位置特定情報を携帯端末２が受信可能な範囲である。図７に示されるように、無線アクセスポイント６は、超音波発生装置１が発生する超音波信号を携帯端末２が受信可能な範囲よりも広い範囲に位置特定情報を送信する。
【００５６】
［超音波発生装置１及び携帯端末２の構成例］
続いて、第２の実施形態に係る超音波発生装置１、携帯端末２及び無線アクセスポイント６が備える機能について説明する。図８は、第２の実施形態に係る超音波発生装置１、携帯端末２及び無線アクセスポイント６の機能構成図である。
第２の実施形態に係る超音波発生装置１の構成は、第１の実施形態に係る超音波発生装置１の構成と同一であるので説明を省略する。
【００５７】
無線アクセスポイント６は、例えば、店舗に設置されている無線ＬＡＮのアクセスポイントや、Bluetooth（登録商標）接続ポイントであってもよい。無線アクセスポイント６は、位置特定情報記憶部６１と、無線送信部６２とを備える。
位置特定情報記憶部６１は、無線アクセスポイント６を識別するＳＳＩＤ（Service Set Identifier）を記憶する。
無線送信部６２は、超音波発生装置１が設置されている位置を含むエリアに、位置特定情報を無線により送信する。具体的には、無線送信部６２は、位置特定情報記憶部６１に記憶されているＳＳＩＤを、図７に示す範囲ｂにブロードキャストする。
【００５８】
第２の実施形態に係る携帯端末２は、無線通信部２８を備え、位置特定情報取得部２７２が、無線通信部２８を介して無線アクセスポイント６から位置特定情報を受信する点で第１の実施形態の携帯端末２と異なり、その他の点では同じである。以下、無線通信部２８及び位置特定情報取得部２７２について説明し、携帯端末２が備えるその他の構成については説明を省略する。
【００５９】
無線通信部２８は、無線アクセスポイント６と通信を行い、無線送信部６２がブロードキャストするＳＳＩＤを受信する。本実施形態において、ＳＳＩＤは、当該ＳＳＩＤを受信した携帯端末２の位置を示す位置特定情報として用いられる。
位置特定情報取得部２７２は、無線通信部２８を介して、無線アクセスポイント６から位置特定情報を受信する。
【００６０】
［情報提供装置３の構成例］
続いて、第２の実施形態に係る情報提供装置３が備える機能について説明する。第２の実施形態に係る情報提供装置３は、位置関係記憶部３１１の構成が、第１の実施形態に係る位置関係記憶部３１１の構成と異なり、その他の点では同じである。以下、位置関係記憶部３１１について説明し、情報提供装置３が備えるその他の構成については説明を省略する。
【００６１】
図９は、第２の実施形態に係る位置関係記憶部３１１が記憶している位置関係情報の一例を示す図である。位置関係記憶部３１１は、複数の超音波発生装置１のそれぞれの装置ＩＤと、当該超音波発生装置１の位置において無線アクセスポイント６が送信するＳＳＩＤとを関連付けた位置関係情報を予め記憶している。無線アクセスポイント６は、超音波発生装置１が発生する超音波信号を携帯端末２が受信可能な範囲よりも広い範囲に位置特定情報を送信するので、一のＳＳＩＤは、複数の装置ＩＤに関連付けられている。図９に示されているように、例えば、ＳＳＩＤ「１１２２３３４４５５６６」は、複数の装置ＩＤ「０００００１」、「０００００２」、及び「０００００３」に関連付けられている。情報提供システムＳにおいては、無線アクセスポイント６が送信する電波の強度、及び超音波発生装置１の設置場所を調整することにより、無線アクセスポイント６の一のＳＳＩＤに対応する装置ＩＤの数を定めることができる。
【００６２】
［受信信号強度による位置の特定］
なお、本実施形態に係る携帯端末２は、無線通信部２８を介して無線アクセスポイント６から位置特定情報を取得するとともに、受信した信号の強度を検出するようにしてもよい。例えば、携帯端末２は、無線アクセスポイント６から受信した電波の強度を示すＲＳＳＩ（Received Signal Strength Indicator）の値を、信号強度として取得し、当該信号強度を情報提供装置３に送信する。情報提供装置３は、信号強度が所定の強度より小さい場合、携帯端末２が無線アクセスポイント６から離れた位置にいると判定し、提供情報を携帯端末２に送信しない。
【００６３】
また、情報提供装置３が備える位置関係記憶部３１１が、無線アクセスポイント６のＳＳＩＤと、信号強度と、当該信号強度の信号を受信できる位置との関係を記憶しており、配信位置特定部３２２は、位置関係記憶部３１１を参照して、携帯端末２から受信した信号強度に対応する位置を特定してもよい。情報提供装置３は、このようにすることで、さらに厳密に特定した携帯端末２の位置に基づいて、提供情報を送信するか否かを決定することができる。
【００６４】
［第２の実施形態における効果］
以上のとおり、第２の実施形態に係る情報提供システムＳでは、位置特定情報取得部２７２が無線アクセスポイント６から位置特定情報を受信するので、携帯端末２がＧＰＳの測位信号を受信できない場所においても携帯端末２の位置を特定して、配信情報と位置特定情報との関係が所定の条件を満たす場合に提供情報を提供することができる。
【００６５】
また、無線アクセスポイント６は、超音波発生装置１が発生する超音波信号を携帯端末２が受信可能な範囲よりも広い範囲に位置特定情報を送信する。したがって、情報提供システムＳは、複数の超音波発生装置１に対して無線アクセスポイント６を共用し、無線アクセスポイント６の設置コストを削減することができる。
【００６６】
＜第３の実施形態＞
［配信情報の配信時間に基づいて提供情報を提供する］
続いて、第３の実施形態について説明する。第３の実施形態は、配信情報の配信時間に基づいて提供情報を提供する点で第１の実施形態と異なり、その他の点では同じである。
第３の実施形態に係る携帯端末２の構成は、第１の実施形態に係る超音波発生装置１及び携帯端末２の構成と同一であるので、説明を省略する。
【００６７】
第３の実施形態に係る超音波発生装置１は、配信時間に応じて変化する配信時間情報を含む配信情報が重畳された超音波信号を発生する。超音波発生装置１は、例えば、店舗におけるタイムセールに係る提供情報を識別する提供情報ＩＤ等、配信時間に応じて内容が変化する配信情報が重畳された超音波信号を発生する。
【００６８】
第３の実施形態に係る情報提供装置３は、位置関係記憶部３１１、配信位置特定部３２２及び装置側送信部３１４が、第１の実施形態に係る位置関係記憶部３１１、配信位置特定部３２２及び装置側送信部３１４の構成と異なり、その他の点では同じである。以下、位置関係記憶部３１１、配信位置特定部３２２及び装置側送信部３１４について説明し、情報提供装置３が備えるその他の構成については説明を省略する。
【００６９】
図１０は、第３の実施形態に係る位置関係記憶部３１１が記憶している位置関係情報の一例を示す図である。位置関係記憶部３１１は、複数の超音波発生装置１のそれぞれの装置ＩＤと、当該超音波発生装置１の位置を示す配信位置情報と、配信情報が有効である時間を示す有効配信時間とを関連付けた位置関係情報を予め記憶している。有効配信時間は、所定日における所定の時間帯、複数の日にち等が指定される。また、配信時間は、例えば「１１：００−１３：００」のように、日付の指定がない場合には、毎日１１時から１３時に配信される配信情報が有効であることを示している。なお、配信時間は、時間を特定できる情報であればよく、上述した例に限定されるものではない。
【００７０】
配信位置特定部３２２は、位置関係記憶部３１１を参照し、装置側受信部３２１が受信した配信情報に含まれている装置ＩＤに関連付けられて位置関係記憶部３１１に記憶されている配信位置情報及び有効配信時間を取得する。例えば、装置側受信部３２１が受信した配信情報に含まれている装置ＩＤが「０００００１」である場合、配信位置特定部３２２は、図１０に示される位置関係記憶部３１１を参照し、当該装置ＩＤに関連付けられている配信情報として、緯度「北緯３５度４１分２２秒」、経度「東経１３９度４１分２７秒」を取得し、有効配信時間として、「２０１３／６／２０  １０：００−１４：００」を取得する。
【００７１】
装置側送信部３２４は、装置側受信部３２１が受信した配信情報に含まれる識別情報に基づいて配信位置特定部３２２が特定した配信位置情報と、位置特定情報との関係が所定の条件を満たす場合に、提供情報を携帯端末２に送信する。ここで、所定の条件は、例えば、配信位置情報と位置特定情報とが一致し、かつ、現在時刻が、有効配信時間が示す時間帯に含まれていることをいう。
【００７２】
なお、以上の説明においては、配信情報が配信時間に応じて内容が変化するものとして説明したが、配信情報が、配信される時間帯を示す配信時間情報を含んでもよい。この場合、装置側送信部３２４は、装置側受信部３２１が配信情報を受信した時刻が、配信情報に含まれる配信時間情報を示す時間帯に対して所定の範囲内である場合に、提供情報を携帯端末２に送信する。
【００７３】
［第３の実施形態における効果］
以上のとおり、第３の実施形態に係る情報提供システムＳでは、配信情報の有効配信時間に基づいて提供情報を提供するので、当該有効配信時間とは異なる時間において携帯端末２が不正に取得した配信情報を送信して提供情報を取得することを防止することができる。
【００７４】
＜第４の実施形態＞
［配信情報が配信される時間に応じて変化するトークンに基づいて提供情報を提供する］
続いて、第４の実施形態について説明する。第４の実施形態は、配信情報が配信される時間に応じて変化する配信時間情報に基づいて提供情報を提供する点で第１の実施形態と異なり、その他の点では同じである。なお、超音波発生装置１と情報提供装置３とは、それぞれ時刻が同期されているタイマーを備えているものとする。
【００７５】
［超音波発生装置１及び携帯端末２の構成例］
まず、第４の実施形態に係る超音波発生装置１及び携帯端末２が備える機能について説明する。図１１は、第４の実施形態に係る超音波発生装置１及び携帯端末２の機能構成図である。第４の実施形態に係る超音波発生装置１は、第１の実施形態の超音波発生装置１が備える構成に加えて、トークン生成部１３を備える。
【００７６】
トークン生成部１３は、例えば、配信情報が配信される時間に応じて変化する配信時間情報としてのトークンを生成する。トークンは、例えば、配信時刻を示す情報、又は配信時刻に応じて所定の規則に基づいて変化する文字列である。
信号発生部１２は、配信情報記憶部１１に記憶されている配信情報に、トークン生成部１３が生成したトークンを含める。そして、信号発生部１２は、トークンを含む配信情報を超音波に重畳させる。これにより、配信情報は、当該配信情報が配信される時間に応じて変化するトークンを含む。信号発生部１２は、配信情報が重畳された超音波信号を発生する。
第４の実施形態に係る携帯端末２は、第１の実施形態に係る携帯端末２と構成が同一であるので説明を省略する。
【００７７】
［情報提供装置３の構成例］
続いて、情報提供装置３が備える機能について説明する。図１２は、第４の実施形態に係る情報提供装置３の機能構成図である。第４の実施形態に係る情報提供装置３は、第１の実施形態に係る情報提供装置３が備える構成に加えて、認証情報記憶部３１３を備える。
【００７８】
図１３は、第４の実施形態に係る認証情報記憶部３１３が記憶している認証情報の一例を示す図である。認証情報記憶部３１３は、複数の時刻それぞれに対してパスワードを関連付けた認証情報を予め記憶している。
装置側送信部３２４は、装置側受信部３２１が受信した配信情報に含まれるトークンが所定の第１条件を満たし、かつ、装置側受信部３２１が受信した配信情報と位置特定情報との関係が所定の第２条件を満たす場合に、提供情報を送信する。具体的には、装置側送信部３２４は、認証情報記憶部３１３を参照し、現在時刻に対応するパスワードを抽出する。そして、装置側送信部３２４は、装置側受信部３２１が受信した配信情報に含まれるトークンと抽出したパスワードとが一致する場合に所定の第１条件を満たすと判定する。また、装置側送信部３２４は、配信位置特定部３２２が取得した配信位置情報と、装置側受信部３２１が受信した位置特定情報とが一致する場合に所定の第２条件を満たすと判定する。
【００７９】
［第４の実施形態における効果］
以上のとおり、第４の実施形態に係る情報提供システムＳでは、配信情報が配信される時間に応じて変化するトークンに基づいて、提供情報を送信するか否かを判定するので、提供情報が不正取得される可能性をさらに低減することができる。
【００８０】
＜第５の実施形態＞
［携帯端末２が提供情報を取得するか否かを判定する］
続いて、第５の実施形態について説明する。第５の実施形態は、携帯端末２が提供情報を取得するか否かを判定する点で第１の実施形態と異なり、その他の点では同じである。
【００８１】
［超音波発生装置１及び携帯端末２の構成例］
図１４は、第５の実施形態に係る超音波発生装置１及び携帯端末２の機能構成図である。
第５の実施形態について、携帯端末２の端末側記憶部２３は、位置関係記憶部２３１を備える。位置関係記憶部２３１は、第１の実施形態の情報提供装置３が備える位置関係記憶部３１１と同様の構成を有する。
【００８２】
端末側送信部２７３及び端末側受信部２７４は、提供情報を取得する取得部として機能し、抽出部２７１が超音波信号から抽出した配信情報と、位置特定情報取得部２７２が取得した位置特定情報との関係が所定の条件を満たす場合に、配信情報に基づいて提供情報を取得する。
【００８３】
具体的には、端末側送信部２７３は、位置関係記憶部２３１を参照し、抽出部２７１が超音波信号から抽出した配信情報に含まれている装置ＩＤに関連付けられて位置関係記憶部３１１の位置関係情報に記憶されている配信位置情報を取得する。そして、端末側送信部２７３は、取得した配信位置情報と、位置特定情報取得部２７２が取得した位置特定情報とが所定の条件を満たす場合に、配信情報に含まれている提供情報ＩＤを抽出し、無線部２６を介して、当該提供情報ＩＤを含む提供情報取得要求を情報提供装置３に送信する。
【００８４】
端末側受信部２７４は、無線部２６を介して、情報提供装置３から提供情報を受信する。そして、端末側受信部２７４は、受信した提供情報を端末側記憶部２３に記憶させる。
【００８５】
［情報提供装置３の構成例］
図１５は、第５の実施形態に係る情報提供装置３の機能構成図である。情報提供装置３は、第１の実施形態に係る情報提供装置３に係る配信位置特定部３２２及び位置関係記憶部３１１を備えていない点で異なる。
【００８６】
第５の実施形態に係る取得部３２３は、装置側受信部３２１が提供情報取得要求を受信すると、提供情報記憶部３１２を参照し、当該要求に含まれている提供情報ＩＤに関連付けられて提供情報記憶部３１２に記憶されている提供情報を取得する。
装置側送信部３２４は、取得部３２３が提供情報を取得すると、当該提供情報を携帯端末２に送信する。
【００８７】
図１６は、第５の実施形態に係る情報提供システムＳにおいて、携帯端末２が提供情報を受信するまでの通信シーケンスの一例を示す図である。
Ｓ１１からＳ１３までの処理は、第１の実施形態において示したシーケンスのＳ１からＳ３までの処理と同一であるので説明を省略する。
【００８８】
続いて、端末側送信部２７３は、位置関係記憶部２３１を参照し、抽出された配信情報に含まれている装置ＩＤに関連付けられている配信位置情報を取得する。そして、端末側送信部２７３は、取得した配信位置情報と、位置特定情報取得部２７２が取得した位置特定情報とが所定の条件を満たすか否か判定する（Ｓ１４）。そして、端末側送信部２７３は、所定の条件を満たすと判定した場合に、提供情報ＩＤを含む提供情報取得要求を、無線部２６を介して情報提供装置３に送信する。
【００８９】
続いて、情報提供装置３の装置側受信部３２１が提供情報取得要求を受信すると、取得部３２３は、当該要求に含まれている提供情報ＩＤに関連付けられて提供情報記憶部３１２に記憶されている提供情報を取得する（Ｓ１５）。続いて、装置側送信部３２４は、取得部３２３が提供情報を取得すると、当該提供情報を携帯端末２に送信する。
続いて、端末側受信部２７４は、提供情報を受信すると、当該提供情報を端末側記憶部２３に記憶させる（Ｓ１６）。
【００９０】
［第５の実施形態における効果］
以上のとおり、第５の実施形態に係る情報提供システムＳでは、携帯端末２において、配信情報と前記位置特定情報との関係が所定の条件を満たすか否かの判定を行い、所定の条件を満たす場合に限定して情報提供装置３から提供情報を取得するので、情報提供装置３への通信を抑制し、通信トラヒックを抑制することができる。
【００９１】
＜第６の実施形態＞
［複数の位置情報を用いる］
上記の実施形態においては、ＧＰＳ衛星５から得られる緯度経度情報、又は無線アクセスポイント６から得られる識別情報を用いて携帯端末２に提供情報を送信するか否かを判定する構成について説明したが、これらの情報を組み合わせて使用してもよい。
【００９２】
例えば、携帯端末２は、超音波発生装置１から超音波発生装置１の識別情報と、第１の無線アクセスポイント６である無線ＬＡＮ装置の識別情報と、第２の無線アクセスポイント６であるBluetooth装置の識別情報と、ＧＰＳ衛星５からの測位電波に基づく緯度経度情報とを取得する。携帯端末２は、これらの情報を情報提供装置３に送信する。
【００９３】
情報提供装置３の位置関係記憶部２３１は、超音波発生装置１の識別情報と、無線ＬＡＮ装置の識別情報と、Bluetooth装置の識別情報と、提供情報とを関連付けて記憶している。装置側送信部３２４は、携帯端末２から受信した超音波発生装置１の識別情報と、無線ＬＡＮ装置の識別情報と、Bluetooth装置の識別情報との組み合わせが、位置関係記憶部２３１に記憶されている組み合わせと一致する場合に、当該組み合わせに対応する提供情報を携帯端末２に送信する。
このように、複数の位置情報を組み合わせて使用することにより、情報提供システムＳは、不正使用をさらに効果的に防止できる。
【００９４】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部または一部について、種々の付加等に応じて、または、機能負荷に応じて、任意の単位で機能的または物理的に分散・統合して構成することができる。
【００９５】
例えば、上記の実施形態においては、配信情報に、装置ＩＤ及び提供情報ＩＤが含まれる場合について説明したが、配信情報は、超音波発生装置１に関連付けられた情報であれば、装置ＩＤ及び提供情報ＩＤに限定されるものではない。
【符号の説明】
【００９６】
１・・・超音波発生装置、１１・・・配信情報記憶部、１２・・・信号発生部、１３・・・トークン生成部、２・・・携帯端末、２１・・・超音波信号受信部、２２・・・ＧＰＳ受信部、無線通信部、２３・・・端末側記憶部、２３１・・・位置関係記憶部、２４・・・入力部、２５・・・表示部、２６・・・無線部、２７・・・端末側制御部、２８・・・無線通信部、２７１・・・抽出部、２７２・・・位置特定情報取得部、２７３・・・端末側送信部、２７４・・・端末側受信部、３・・・情報提供装置、３１・・・装置側記憶部、３１１・・・位置関係記憶部、３１２・・・提供情報記憶部、３１３・・・認証情報記憶部、３２・・・装置側制御部、３２１・・・装置側受信部、３２２・・・配信位置特定部、３２３・・・取得部、３２４・・・装置側送信部、４・・・基地局、５・・・ＧＰＳ衛星、６・・・無線アクセスポイント、６１・・・位置特定情報記憶部、６２・・・無線送信部、７・・・アドレス取得装置、８・・・管理システム、７１・・・識別情報受信部、７２・・・アドレス取得部、７３・・・アドレス送信部、Ｓ・・・情報提供システム
【図１】
2014238673.tif 000003
【図２】
2014238673.tif 000004
【図３】
2014238673.tif 000005
【図４】
2014238673.tif 000006
【図５】
2014238673.tif 000007
【図６】
2014238673.tif 000008
【図７】
2014238673.tif 000009
【図８】
2014238673.tif 000010
【図９】
2014238673.tif 000011
【図１０】
2014238673.tif 000012
【図１１】
2014238673.tif 000013
【図１２】
2014238673.tif 000014
【図１３】
2014238673.tif 000015
【図１４】
2014238673.tif 000016
【図１５】
2014238673.tif 000017
【図１６】
2014238673.tif 000018